Podtech/llm-jp-corpus-v4-ja_patent huggingface dataset:
(57)【要約】      （修正有）【課題】根掛かり回収時やリールを用いずに釣り糸を引く際の釣り糸の保持を安定的に行える一方で、釣り糸の保持を解除したい緊急時においては容易に行える形状で安全性の向上と釣り糸が破断しにくいような力加減の調整を容易に行えることで根掛かりの回収可能性を向上させる釣り糸保持用安全筒を提供する。【解決手段】釣り糸保持用安全筒は、指などを通して引くことの出来る筒状の形状である硬質素材の筒本体１の表面３を弾力性のある素材で覆うことで釣り糸の保持力を高める一方で、両端４同士がなだらかに繋がる形状から、緊急時には釣り糸の保持を容易に解除できることに加え、向かい合う直線同士と向かい合う曲線同士となる両端の断面２形状により、釣り糸を引く力を緩やかに加えることやその力加減の調整を容易とすることを可能とする。【選択図】図１
0003232737.tif 000002
【実用新案登録請求の範囲】
【請求項１】
両端の断面が向かい合う直線同士と向かい合う曲線同士となる形状の硬質素材の筒の表面を弾力性のある素材で覆うことで、ルアーや釣り針の根掛かり回収時並びにリールを用いないで釣り糸を引く必要が有る時において、指などを通して保持した上で、弾力性のある表面に巻き付けた釣り糸を安定的に保持し、断面の形状を利用することで、釣り糸を安全に保持し、かつ安定的に力を込めやすくなることで、ルアーや釣り針の根掛かり回収の可能性やリールを用いずに釣り糸を引く際の利便性を高めた一方で、表面から両端へなだらかに繋がる形状から緊急時には釣り糸の保持を解除しやすいところを特徴とする釣り糸保持用安全筒。
【考案の詳細な説明】
【技術分野】
【０００１】  本考案は、表面からなだらかに繋がる両端同士の断面が向かい合う直線同士と向かい合う曲線同士となる形状で、表面を弾力性のある素材で覆った硬質素材の筒に関するものである。
【背景技術】
【０００２】  釣りをする場合において根掛かりしたルアーや釣り針の回収を行う際や釣り糸をリールを用いずに強く引きたい場合には、素手で直接保持し、又は身体や棒状或いは輪形状の物に釣り糸を巻き付けて引いていた。
【考案の概要】
【考案が解決しようとする課題】
【０００３】  根掛かり回収時には、釣り糸を強く引くことから、リールを用いて糸を引くとリールを損傷する可能性があった。また、素手で保持して釣り糸を引く方法では怪我の恐れもあった。棒状の物に巻き付けると怪我の可能性は低くなる一方でその形状から力を込めにくい場合があった。輪形状の物に巻き付けると力を込めやすい一方で、瞬間的な力を掛けやすくなることから根掛かりしたルアーや釣り針の回収可能性よりも根掛かり時の釣り糸の安全な切断を意図している場合が多かった。また釣り糸を強力に引っ張っている際に予期せぬ事象が生じることで早急に糸の保持を解除したい場合に、その表面形状から糸の保持を解除しにくい場合があった。従って、指などを通して引くことの出来る筒状の形状であることや、表面を弾力性のある素材で覆うことで釣り糸の保持力を高めながらも、向かい合う直線同士と向かい合う曲線同士となる断面形状により釣り糸を引く力を緩やかに加えることやその力加減の調整を容易とすること、加えて緊急時には糸の保持を解除しやすいように表面がなだらかに両端と繋がる形状であることにより前述の欠点を解決しようとするものである。
【課題を解決するための手段】
【０００４】  本考案は、指などを通して引くことの出来る筒状の形状であることや、表面を弾力性のある素材で覆うことで釣り糸の保持力を高め、向かい合う直線同士と向かい合う曲線同士となる両端の断面形状により釣り糸を引く力を緩やかに加えることやその力加減の調整を容易とすることを可能とすることに加えて表面と両端とをなだらかに繋ぐことにより糸の保持を解除したい緊急時の対応を容易とすることにより問題を解決している。
【考案の効果】
【０００５】  上記の様に、本考案の釣り糸保持用安全筒は、指などを通して引くことの出来る筒状の形状であることや、表面を弾力性のある素材で覆うことで釣り糸の保持力を高め、向かい合う直線同士と向かい合う曲線同士となる両端の断面形状により釣り糸を引く力を緩やかに加えることやその力加減の調整を容易とすることを可能とすることに加え、表面と両端がなだらかに繋がる形状により、釣り糸を引っ張る際の安全性向上及び根掛かりしたルアーや釣り針の回収可能性の向上に役立つ。
【図面の簡単な説明】
【０００６】
【図１】本考案の釣り糸保持用安全筒の実施例を示す正面図である。
【考案を実施するための形態】
【０００７】  両端同士がなだらかに繋がる形状であり、かつ断面が向かい合う直線同士と向かい合う曲線同士となる形状である硬質素材の筒の表面を弾力性のある素材で覆う。
【実施例】
【０００８】  以下、添付図面に従って一実施例を説明する。１は金属等適宜硬質素材で成形された筒本体、２は向かい合う直線同士と向かい合う曲線同士となる形状である断面、３はゴム等適宜素材で覆われた表面である。この筒に指等を通し１を保持し、表面３に釣り糸を巻き付けた上で、釣り糸を引くことで安全に引っ張ることができ、かつ、２の方向を適宜調整しながら釣り糸を引くことで、破断の原因となる急激な力の変化を釣り糸に与えないように等釣り糸を引く力の調整を容易に行うことができる。また、釣り糸の保持を解除したい緊急時においては両端がなだらかに繋がる形状から容易に解除することが出来る。
【符号の説明】
【０００９】１  硬質素材の筒本体
２  向かい合う直線同士と向かい合う曲線同士となる形状である断面
３  弾力性のある素材で覆われた表面
４  表面となだらかに繋がる両端
【図１】
0003232737.tif 000003
(57)【要約】      （修正有）【課題】ダンボール箱を封緘するために貼られた粘着テープを簡単に剥がせる粘着テープ剥離シール付きダンボール箱を提供する。【解決手段】ダンボール箱４は、任意の大きさのシール１を備え、シール１の表面にここから開封するという表現を示唆するイラストや言葉を印刷し、シール１を剥がしやすくするために、シール１の裏面の一部に接着剤を塗布しない任意の大きさの面を設け、ダンボール箱４を封緘のために粘着テープを貼り始める位置に、または貼り終わりの位置に貼り付ける。タンボール箱４を封緘する際、粘着テープの貼り出しの先端、または貼り終わりの位置に貼られたシール１の上に粘着テープを貼り梱包封緘することで、ダンボール箱４を開梱する際、ダンボール箱４に貼られたシール１の接着剤を塗布されていない部分を持ち、引き上げることで粘着テープを剥がし、ダンボール箱４を簡単に開封できる。【選択図】図３
0003232795.tif 000002
【実用新案登録請求の範囲】
【請求項１】
ダンボール箱を粘着テープで梱包封緘されたダンボール箱を開封するさいに粘着テープを剥がしやすくするために、任意の大きさのシールの表面にここから開封するという表現を示唆するイラストや言葉を印刷し、シールを剥がすさい剥がしやすくするために、シールの裏面の一部に接着剤を塗布しない任意の大きさの面を設け、ダンボール箱を封緘のために粘着テープを貼り始める位置に、または貼り終わりの位置に開封するという表現を示唆するイラストや言葉を印刷したシールを貼り付けたダンボール箱で、ダンボール箱を封緘する際、粘着テープの貼り出しの先端、または貼り終わりの部分をダンボール箱に貼られた開封するという表現を示唆するイラストや言葉を印刷したシールの上に貼り梱包封緘することで、ダンボール箱を開梱するさいダンボール箱に貼られた開封するという表現を示唆するイラストや言葉を印刷したシールの接着剤を塗布されていない部分を持ち引き上げることで粘着テープを剥がせダンボール箱を開封できることを特長とした粘着テープ剥離用シール付きダンボール箱。
【考案の詳細な説明】
【技術分野】
【０００１】  本考案は粘着テープで梱包、封緘したダンボール箱の粘着テープを剥がしやすくする梱包資材に関する物である。
【背景技術】
【０００２】  ダンボール箱を梱包する粘着テープは梱包封緘は簡単にできき便利であるが、開封するときに粘着テープが剥がしにくく開封には手間がかりカッターで粘着テープを切り開けたり、爪を立て粘着テープの端を引き上げたりし開封している。
【先行技術分野】
【０００３】  ダンボール箱を梱包封緘した粘着テープを剥がし易くするために、粘着テープ両側面の部分に接着剤を塗布しない部分を設け、段ボール箱に粘着テープ両側面の部分に接着剤を塗布しない粘着テープを貼ることで、接着剤を塗布していない部分から粘着テープを引き上げ粘着テープを剥がすという考案の商品がある。
【０００４】また、段ボール箱に粘着テープの貼りはじめ部分と貼り終わり部分に切れ込みを施し指が入るようし貼られた粘着テープを指で引き上げられるように加工した段ボール箱が使用されている。
【考案の概要】
【考案が解決しようとする課題】
【０００５】  本考案は、ダンボール箱を封緘するために貼られた粘着テープを簡単に剥がせるようにする。
【課題を解決するための手段】
【０００６】ダンボール箱を粘着テープで梱包封緘されたダンボール箱を開封するさいに粘着テープを剥がしやすくするために、任意の大きさのシールの表面にここから開封するという表現を示唆するイラストや言葉を印刷し、シールを剥がすさい剥がしやすくするために、シールの裏面の一部に接着剤を塗布しない任意の大きさの面を設け、ダンボール箱を封緘のために粘着テープを貼り始める位置に、または貼り終わりの位置に開封するという表現を示唆するイラストや言葉を印刷したシールをダンボール箱に貼り付け、ダンボール箱を封緘する際、粘着テープの貼り出しの先端、または貼り終わりの位置に貼られた開封するという表現を示唆するイラストや言葉を印刷したシールの上に粘着テープを貼り梱包封緘することで、段ボール箱を開梱するさいダンボール箱に貼られた開封するという表現を示唆するイラストや言葉を印刷したシールの接着剤を塗布されていない部分を持ち引き上げることで粘着テープを剥がせダンボール箱を簡単に開封できる。
【考案を実施するための形態】
【０００７】  以下、本考案の実施形態の一例を図面に基づき詳細に説明する。粘着テープ剥離用シール１の裏面に任意の面積に剥離しやすい粘着力の弱い接着剤２を塗布し、ダンボール箱に貼れるようにし、また粘着テープ剥離用シールを剥がすさい接着剤を塗布されていない面を持ち上げ剥がしやすくし粘着テープ剥離用シールしシールの表面にここから開封するという示唆するイラスト３、言葉を印刷した粘着テープ剥離用シールをダンボール箱を梱包封緘する粘着テープの貼り出しの先端、または貼り終わりの位置に貼り付けておく。
【考案の効果】
【０００８】本考案は、粘着テープ剥離用シールの表面にダンボール箱を梱包する際に粘着テープの貼り出しの先端、または貼り終わりの部分に一枚の粘着テープ剥離用シールを貼り付けた段ボール箱で、ダンボール箱を受け取った客がダンボールを開梱するときにダンボール箱に貼られた粘着テープ剥離用シールの接着剤の塗布されていない部分を持ち引き上げることで粘着テープを簡単に剥がせダンボール箱の開梱ができる。
【図面の簡単な説明】
【０００９】
【図１】図１は本考案にかかる粘着テープ剥離用シールの具体的な実施例の１例を示す正面図である。
【図２】図２は本考案にかかる粘着テープ剥離用シールの具体的な実施例の１例を示す背面図である。
【図３】図６は本考案にかかる粘着テープ剥離用シールをダンボール箱に貼り付けた具体的な実施例の１例を示す斜視図である。
【符号の説明】
【００１０】１  粘着テープ剥離用開封シール
２  粘着テープ剥離用シール裏面に塗布した接着剤
３  開封、開梱を示唆するイラスト及び言葉
４  段ボール箱
【図１】
0003232795.tif 000003
【図２】
0003232795.tif 000004
【図３】
0003232795.tif 000005
(57)【要約】      （修正有）【課題】感染症防止に向け、飲食・会食時及び会話時の飛沫拡散を削減する、手に持つ飛沫拡散削減器具を提供する。【解決手段】飛沫拡散削減器具は、飛沫拡散削減器具本体１を含み、飛沫拡散削減器具本体１に折り目加工箇所２、切り目加工箇所３、切込み加工箇所４を加工し、簡易に組立てが可能な、手に持つ飛沫拡散削減器具である。また、口元に添えるため、コーナー部分５はコーナーカットもしくはラウンド処理を行う。この器具により飲食時・会食時及び会話時の飛沫拡散削減を図る事に役立つ。【選択図】図１
0003232729.tif 000002
【実用新案登録請求の範囲】
【請求項１】
切り目、折り目、切込み加工した１枚の紙や樹脂等で、簡易に組立てが可能な手に持つ飲食・会食時等及び会話時等の飛沫拡散削減器具。
【請求項２】
組立後この器具形状は、衛生面を考慮し自立・倒立置きができ、口元にあてる面を机上に触れずに置く事が可能。また口元付近での使用を考慮し、危険を避けるため角部をコーナーカット処理、ラウンド処理を施す。
【請求項３】
１枚の紙や樹脂等で構成するため、表面に図１で示すような広告・宣伝を印刷し、飲食・会食店等の広告・宣伝を行う事ができるとともに、販促品として配布・郵送する事が簡易な器具で、裏面には図２、図３に示した組立て方を印刷し、組立方法を誰もがわかるように配慮した器具。
【考案の詳細な説明】
【技術分野】
【０００１】  本考案は、感染症防止に向けた飲食・会食時等の飛沫拡散削減を目的とする、切り目、折り目、切込みを加工した１枚の紙や樹脂等で簡易に組立てが可能な、手に持つ飛沫拡散削減器具である。
【背景技術】
【０００２】  飲食・会食店等において、飲食・会食時等及び会話時等にマスクを外した状態での飛沫が感染症拡大の原因の一つとされており、その拡散削減を目指した器具である。
【考案の概要】
【考案が解決しようとする課題】
【０００３】  飲食・会食時等は、飛沫拡散削減のマスクを外さざるを得なく、飛沫感染を危惧した顧客の来店委縮が課題となっている。本器具の使用により、簡易に飛沫拡散削減が可能となり、飲食・会食店等への来店委縮を緩和する効果を得られる。
【課題を解決するための手段】
【０００４】  本考案は、マスクを外した飲食・会食時及び会話時に、手に持ち口元に本器具を添え、飛沫拡散の削減を行うものである。
【図面の簡単な説明】
【０００５】
【図１】本考案の手に持つ飛沫拡散削減器具の表面、裏面の正面図である。
【図２】本考案の組立て方、完成状態（自立、倒立）を示した図である。
【図３】本考案の使用時の状態を示した図である。
【符号の説明】
【０００６】１  手に持つ飛沫拡散削減器具本体
２  折り目加工箇所
３  切り目加工箇所
４  切込み加工箇所
５  コーナー部処理加工箇所
【図１】
0003232729.tif 000003
【図２】
0003232729.tif 000004
【図３】
0003232729.tif 000005
【手続補正書】
【提出日】令和2年12月11日(2020.12.11)
【手続補正１】
【補正対象書類名】実用新案登録請求の範囲
【補正対象項目名】全文
【補正方法】変更
【補正の内容】
【実用新案登録請求の範囲】
【請求項１】
左右中央に垂直の折り目加工を施し、下部約４分の１の位置に水平方向に左右両端から約３分の２の位置まで切込み加工を施し、同部分に左右両端から各々約３分の１、約３分の２の位置に垂直方向の折り目加工を施し、加えて同部分の左右両端部に組立てた際の固定となる切込み加工を施した、口元付近を覆える飛沫拡散削減器具を形成する紙や樹脂およびビニール。
【請求項２】
組立てる事で立体となるこの器具は、手に持ち易く口元にあて易い形状になり、飲食時や会食時での会話時の飛沫拡散削減ができるとともに、自立・倒立置きができ、口元付近での使用を考慮し、危険を避けるため角部をコーナーカット処理、ラウンド処理を施した事を特徴とする請求項１記載の飛沫拡散削減器具。
【請求項３】
平面の紙や樹脂およびビニールで構成するため、立体に組立てる前に、印刷機で表面に図１で示すような広告・宣伝を印刷し、販促品として配布・郵送する事が可能な器具で、裏面には組立て方を印刷し、組立方法を誰もがわかるように配慮した事を特徴とする請求項１記載の飛沫拡散削減器具。
【手続補正２】
【補正対象書類名】明細書
【補正対象項目名】全文
【補正方法】変更
【補正の内容】
【考案の詳細な説明】
【技術分野】
【０００１】  本考案は、感染症防止に向けた飲食時や会食時での会話時の飛沫拡散削減を目的とする、切り目、折り目、切込みを加工した１枚の紙・樹脂・ビニールを組み立てる事で立体化し、手に持ち易く、口元にあて易い形状にした飛沫拡散削減器具である。
【背景技術】
【０００２】  飲食店・会食店において、飲食・会食時及び会話時にマスクを外した状態での飛沫が感染症拡大の原因の一つとされており、その拡散削減を目指した器具である。
【考案の概要】
【考案が解決しようとする課題】
【０００３】  飲食・会食時は、飛沫拡散削減のマスクを外さざるを得なく、飛沫感染を危惧した顧客の来店委縮が課題となっている。本器具の使用により、簡易に飛沫拡散削減が可能となり、飲食店・会食店への来店委縮を緩和する効果を得られる。
【課題を解決するための手段】
【０００４】  本考案は、マスクを外した飲食・会食時及び会話時に、手に持ち口元に本器具を添え、飛沫拡散の削減を行うものである。
【図面の簡単な説明】
【０００５】
【図１】本考案の手に持つ飛沫拡散削減器具の表面、裏面の正面図である。
【図２】本考案の組立て方、完成状態（自立、倒立）を示した図である。
【図３】本考案の使用時の状態を示した図である。
【符号の説明】
【０００６】１  手に持つ飛沫拡散削減器具本体
２  折り目加工箇所
３  切り目加工箇所
４  切込み加工箇所
５  コーナー部処理加工箇所
【手続補正書】
【提出日】令和3年3月15日(2021.3.15)
【手続補正１】
【補正対象書類名】実用新案登録請求の範囲
【補正対象項目名】全文
【補正方法】変更
【補正の内容】
【実用新案登録請求の範囲】
【請求項１】
紙や樹脂およびビニールを素材とし、左右中央に垂直の折り目加工を施し、下部約４分の１の位置に水平方向に左右両端から約３分の２の位置まで切込み加工を施し、同部分に左右両端から各々約３分の１、約３分の２の位置に垂直方向の折り目加工を施し、加えて同部分の左右両端部に組立てた際の固定となる切込み加工を施した、口元付近を覆える飛沫拡散削減器具。
【請求項２】
組立てる事で立体となるこの器具は、手に持ち易く口元にあて易い形状になり、飲食時や会食時での会話時の飛沫拡散削減ができるとともに、自立・倒立置きができ、口元付近での使用を考慮し、危険を避けるため角部をコーナーカット処理、ラウンド処理を施した事を特徴とする請求項１記載の飛沫拡散削減器具。
【請求項３】
平面の紙や樹脂およびビニールで構成するため、立体に組立てる前に、印刷機で表面に図１で示すような広告・宣伝を印刷し、販促品として配布・郵送する事が可能な器具で、裏面には組立て方を印刷し、組立方法を誰もがわかるように配慮した事を特徴とする請求項１記載の飛沫拡散削減器具。
(57)【要約】      （修正有）【課題】熱気球・飛行船より機能が高く通信・広告及び災害救助に活用できるゴンドラ飛行船を提供する。【解決手段】ゴンドラ１の外部に設置した複数の収納箱２へ複数のプロペラ３とコアレスモーター４を装着した複数の円筒形ダクト５を装着基板６に固定し挿入する。ゴンドラ内部にある電源７によりゴンドラ外部に設置した複数のプロペラを駆動し、空気取込口８より整流された空気を排出口９より噴射して、複数のジェットファン１０の駆動で空中へ浮遊する。ロープ１１を杭１２より取り外し、高空へ飛行する。高度計１３とコントロールパネル１４を用いて方向・昇降舵１５を操作して、一定空域に安全飛行する。【選択図】図１
0003232730.tif 000002
【実用新案登録請求の範囲】
【請求項１】
ゴンドラ外部に設置した複数のプロペラとコアレスモーターを装着した複数の円筒形ダクトを含んで構成されるゴンドラ飛行船であって、
ゴンドラに設置した複数のジェットファンで駆動されることを特徴とするゴンドラ飛行船
【考案の詳細な説明】
【考案の詳細な説明】
【技術分野】
【０００１】航空機分野
【背景技術】
【０００２】  従来、気密性の袋に熱した空気又は、空気よりも軽い不活性気体のヘリウムガスを充填して、空中に浮遊させていたが、熱気球・飛行船としての機能が低く、活用するのに制限があった。
【考案の開示】
【考案が解決しようとする課題】
【０００３】  本案は、その欠点を除いて、しかも機能を活かしたゴンドラ飛行船を開発しようとするものである。
【課題を解決するための手段】
【０００４】  いま、その解決手段を図面を追いながら説明すれば
（イ）  ゴンドラ（１）外部に設置した複数の収納箱（２）へ複数のプロペラ（３）とコアレスモーター（４）を装着した複数の円筒形ダクト（５）を装着基板（６）に固定し挿入する。
（ロ）  ゴンドラ（１）内部にある電源（７）によりゴンドラ（１）外部に設置した複数のプロペラ（３）を駆動し、空気取入口（８）より整流された空気を排出口（９）より噴射して、複数のジェットファン（１０）の駆動で空中へ浮遊する。ロープ（１１）を杭（１２）より取り外し，高空へ飛行する。
（ハ）  高度計（１３）とコントロールパネル（１４）を用いて方向・昇降舵（１５）を操作して、一定空域に安全飛行する。
【考案の効果】
【０００５】  本案は、以上のような構造であるからこれを使用する事により、空中に浮遊する乗り物として、安全に活用できるゴンドラ飛行船である。
【考案を実施するための最良の形態】
【実施例】
【０００６】  なお、本案の実施にあたって次の如きことができる。
（イ）  複数の円筒形ダクト（５）に装着した複数のプロペラ（３）とコアレスモーター（４）により渦気流及び騒音を減少させ、整流された空気による噴射と複数のジェットファン（１０）により、ゴンドラ（１）を空中へ安全飛行する事ができる。
【図面の簡単な説明】
【０００７】
【図１】  本考案のゴンドラ飛行船の正面図
【符号の説明】
【０００８】（１）ゴンドラ  （２）収納箱  （３）プロペラ
（４）コアレスモーター  （５）円筒形ダクト  （６）装着基板
（７）電源  （８）空気取入口  （９）排出口
（１０）ジェットファン  （１１）ロープ  （１２）杭  （１３）高度計
（１４）コントロールパネル  （１５）方向・昇降舵
【図１】
0003232730.tif 000003
【手続補正書】
【提出日】令和2年12月21日(2020.12.21)
【手続補正１】
【補正対象書類名】実用新案登録請求の範囲
【補正対象項目名】全文
【補正方法】変更
【補正の内容】
【実用新案登録請求の範囲】
【請求項１】
ゴンドラ外部に設置した収納箱に複数の円筒形連結ダクトファンを含んで構成されるゴンドラ飛行船であって、ゴンドラに設置した複数のジェットファンで駆動されることを特徴とするゴンドラ飛行船
【手続補正書】
【提出日】令和3年3月12日(2021.3.12)
【手続補正１】
【補正対象書類名】実用新案登録請求の範囲
【補正対象項目名】全文
【補正方法】変更
【補正の内容】
【実用新案登録請求の範囲】
【請求項１】
ゴンドラ外部に設置した収納箱に整流された空気の噴射をする複数のプロペラを装着した複数の円筒形ダクトを含んで構成されるゴンドラ飛行船であって、ゴンドラに設置した複数のジェットファンで駆動される事を特徴とするゴンドラ飛行船
(57)【要約】      （修正有）【課題】繰り返し利用可能かつ設置が容易な屋外看板を提供する。【解決手段】アルミ製看板枠１にＬ字金具２を用いてワイヤー４及びターンバックル５を設置し、横幕テントとワイヤーをＳ字フック６で繋ぎ、皴にならないようにターンバックルを締めて横幕テントを張ることにより、繰り返し利用可能かつ設置が容易な屋外看板を実現する。【選択図】図１
0003232774.tif 000002
【実用新案登録請求の範囲】
【請求項１】
アルミ製看板枠の四方に取り付けたＬ字金具に，丸ワッシャーを用いてワイヤーをそれぞれ取り付け，ワイヤー同士をターンバックルで連結した上，ワイヤーと広告物を印刷した横幕テントを，Ｓ字フックを用いて繋ぎ，皴にならないようにターンバックルを締めて横幕テントを張ることにより，横幕テント自体の交換による繰り返しの利用を可能とした上，新たな広告物への交換等も容易としたところを特徴とする屋外看板
【考案の詳細な説明】
【技術分野】
【０００１】  本考案は，アルミ製看板枠の四方に取り付けたワイヤー及びターンバックルを用いて広告物を印刷した横幕テントを掲示する屋外看板に関するものである。
【背景技術】
【０００２】  従来型の屋外看板は，アルミ製の看板枠に設置したアルミ複合板上に広告物を印刷したシートを張り付ける方法を用いていたが，当該方法は，４〜５回程度で，シートの重ね貼りができなくなり，以降，当該屋外看板自体の利用ができなくなる上，新たな広告物への交換等自体も専門業者によらなければならないため，コストを要していた。
【考案の概要】
【考案が解決しようとする課題】
【０００３】  本考案は，従来型の屋外看板が，その利用回数が有限である上，新たな広告物の交換等自体も専門業者なくして困難であるため，コストを要するという欠点につき，解決しようとするものである。
【課題を解決するための手段】
【０００４】  本考案は，横幕テントに広告物を印刷した上，アルミ製看板枠の四方にＬ字金具を用いてワイヤー及びターンバックルを設置し，横幕テントとワイヤーをＳ字フックで繋ぎ，皴にならないようにターンバックルを締めて横幕テントを張ることにより，横幕テント自体を取り換えることで繰り返し利用することを可能した上，横幕テントをＳ字フックと繋ぎ，ターンバックルを締めるという容易な設置方法であることから，専門業者をよらずに新たな広告物の設置を可能としており，上記欠点を解決している。
【考案の効果】
【０００５】  この方法を用いれば，横幕テント自体の取り換えにより，屋外看板を繰り返し利用することを可能としながら，専門業者によらず設置ができ，設置のコストも抑えることも可能とする。
【図面の簡単な説明】
【０００６】
【図１】本考案における横幕テントと各部材の組合せ方法を示す図である。
【図２】図１の側面図である。
【図３】本考案における実施例である。
【考案を実施するための形態】
【０００７】  アルミ製看板枠の四方にＬ字金具を複数取り付け，これに丸ワッシャーを用いてワイヤーをそれぞれ取り付け，ワイヤー同士をターンバックルで連結する。
横幕テントに広告物を印刷し，ワイヤーとＳ字フックを用いて繋ぎ，皴にならないようにターンバックルを締めて横幕テントを張ることにより，横幕テントが屋外広告物として掲示される。
【実施例】
【０００８】  以下，添付図面に従って実施例を説明する。［図１］及び［図２］のように，▲１▼に▲２▼を設置し，▲２▼に▲３▼を用いて▲４▼を取り付け，▲４▼同士を▲５▼で連結し，▲４▼と▲７▼を▲６▼で繋ぐと，［図３］が示すとおりとなり，▲７▼が屋外広告物として掲示される。
【産業上の利用可能性】
【０００９】  広告物を掲示する屋外看板として，広く利用可能である。
【符号の説明】
【００１０】  ▲１▼  アルミ製看板枠
▲２▼  Ｌ字金具
▲３▼  丸ワッシャー
▲４▼  ワイヤー
▲５▼  ターンバックル
▲６▼  Ｓ字フック
▲７▼  テント生地幕
【図１】
0003232774.tif 000003
【図２】
0003232774.tif 000004
【図３】
0003232774.tif 000005
(57)【要約】      （修正有）【課題】踵を挙げたときに、表側には曲がりやすいが、裏側には曲がりにくく体重が乗っても折れないトウシューズの中底の構造を提供する。【解決手段】軟性の樹脂を素材とする上中敷き１と、硬性の樹脂を素材とする下中敷きにより構成され、下中敷きは前部２１及び後部に分割され、上中敷き１が下中敷きの上に重ね置かれている。上中敷き１は裏面の略先端に組み手用の突起１１１を有し、下中敷き前部２１表面の略先端に突起受入れ口２１１を有し、上中敷き１の突起１１１が下中敷きの突起受入れ口２１１に可動的に嵌入される。下中敷きの前部２１及び後部は靴底に固着され、上中敷き１の中足域１２及び後足域１３は下中敷きの後部及び靴底に固定され、上中敷き１の前足域１１は下中敷きの前部２１に対して、後ろ方向に滑動可能に載置されている。【選択図】図２
0003231113.tif 000002
【実用新案登録請求の範囲】
【請求項１】
クラシックバレエで使用するトウシューズの中底の構造であって前記中底は、
軟性の樹脂を素材とする上中敷きと、
硬性の樹脂を素材とする下中敷きと、  
により構成され、前記下中敷きは前部及び後部に分割され、
前記上中敷きが前記下中敷きの上に重ね置かれていることを特徴とするトウシューズ中底の構造。
【請求項２】
前記上中敷きは裏面の略先端に組み手用の突起を有し、
前記下中敷きは前記前部表面の略先端に突起受入れ口を有し、
前記上中敷きの前記突起が前記下中敷きの前記突起受入れ口に可動的に嵌入されることを特徴とする請求項１記載のトウシューズ中底の構造。
【請求項３】
前記下中敷きの前記前部及び前記後部は靴底に固着され、前記上中敷きの中足域及び／又は後足域は前記下中敷きの前記後部に固定され、前記上中敷きの前足域は前記下中敷きの前記前部に対して後ろ方向に滑動可能に載置されていることを特徴とする請求項１又は２記載のトウシューズ中底の構造。
【考案の詳細な説明】
【技術分野】
【０００１】
本考案は、クラシックバレエで使用するトウシューズの中底の構造に関する。
【背景技術】
【０００２】
クラシックバレエを踊るときに履くトウシューズの中底は、材料から抜き取った樹脂製のソールを糊で張り付けて釘で止めるのが通例である。一方、バレエでは、爪先で立ったりするなど、多くの動作があり、そのたびに、トウシューズは動きに応じて適度に変形して、バレリーナの身体を支える。
【考案の概要】
【考案が解決しようとする課題】
【０００３】
バレエの動作において爪先で立つ時は、トウシューズは表側に弧を描いて湾曲するが、このとき、中底が固いため、ソールが曲がりにくく、シューズが足裏に付いてきにくいことがある。一方、中底を柔らかくしすぎると、シューズが折れてしまい、爪先立ち以外の動作においても、バレリーナの身体を支えきれなくなってしまう。
【０００４】
上述の問題を解決すべく、本考案においては、踵を挙げたときに、表側には曲がりやすいが、裏側には曲がりにくく体重が乗っても折れないトウシューズの中底の構造を提供することを課題とする。
【課題を解決するための手段】
【０００５】
上記課題を解決するために、請求項１のトウシューズの中底の構造は、軟性の樹脂を素材とする上中敷きと、硬性の樹脂を素材とする下中敷きにより構成され、前記下中敷きは前部及び後部に分割され、前記上中敷きが前記下中敷きの上に重ね置かれていることを特徴とする。
【０００６】
請求項２のトウシューズの中底の構造は、請求項１の中底の構造であって、前記上中敷きは裏面の略先端に組み手用の突起を有し、前記下中敷きは前記前部表面の略先端に突起受入れ口を有し、前記上中敷きの前記突起が前記下中敷きの前記突起受入れ口に可動的に嵌入されることを特徴とする。
【０００７】
請求項３のトウシューズの爪先部の構造は、請求項１又は２の中底の構造であって、前記下中敷きの前記前部及び前記後部は靴底に固着され、前記上中敷きの中足域及び後足域は前記下中敷きの前記後部又は靴底に固定され、前記上中敷きの前足域は前記下中敷きの前記前部に対して、後ろ方向に滑動可能に載置されていることを特徴とする。
【考案の効果】
【０００８】
本考案の中底の構造を有するトウシューズは、（１）硬軟素材の中敷きによる２層構造を有し、硬素材の下中敷きが分割されている、（２）上下の組み手機構により、上中敷きの前足域が下中敷きに対して後ろ方向に動く、ことから踵を挙げたときに曲がりやすい一方、体重が乗っても折れない。このため、従来のトウシューズと比較して、爪先立ちのときのぐらつきが減少し、安心感を得ることが出来る。
【図面の簡単な説明】
【０００９】
【図１】本実施形態のトウシューズの中底を構成する上中敷きと下中敷きの形状と組み手機構を示す概念斜視図である。
【図２】本実施形態のトウシューズの中底を構成する上中敷きと下中敷きの組みつけ方法を示す概念斜視図である
【考案を実施するための形態】
【００１０】
本実施形態のトウシューズの中底の構造（以下、単に「本構造」という。）について図を用いて説明する。本実施形態のトウシューズの中底の構造は請求項３に記載の中底の構造である。
【００１１】
従来のトウシューズは、抜型から抜き取った1枚の中底を糊で張り付け、釘で止める単純な構造であったが、  本構造は従来のものと比較して、以下の点で異なる。
【００１２】
まず、構成について説明する。
図１に示すように、本構造の中底は、軟性の樹脂を素材とする上中敷き１と、硬性の樹脂を素材とする下中敷き２による重層構造を有し、下中敷き２は前部２１及び後部２２に分割されている。上中敷き１と下中敷き２の前部２１は組み手機構により可動的に面着される。すなわち、上中敷き１は裏面略先端に組み手用の突起１１１を有し、下中敷き２は前部２１の略先端に突起受入れ口２１１を有し、上中敷き１の突起１１１が下中敷き２の突起受入れ口２１１に嵌入される構成になっている。
【００１３】
次に、図２を用いて、本構造の中底の組みつけ方法について、順を追って説明する。
（１）図２に示すように、上中敷き１の裏側中足域１２に下中敷き２の後足域１３を糊で貼り付ける。
（２）下中敷き２の後部２２を、靴本体３内の爪先部分に糊で貼り付け、釘で止める。
（３）上中敷き１に貼り付けた下中敷き後部２２の全面と、上中敷き後足域１３の相当部分に糊１４をつけ、上中敷き１を靴本体３内に挿入する。
（４）上記（３）に際しては、上中敷き１の突起１１１を下中敷き２の後部２２の突起受入れ口２１１に嵌入しながら、下中敷き後部２２と後足域１３を靴底に張り付ける。
【００１４】
上述の作業の結果、上中敷き１の中足域１２と後足域１３は靴底に固定されるが、上中敷き１の前足域１１は下中敷き後部２２に対して可動的に着接するため、    し、シューズが湾曲したときに接着面が滑動する。
【符号の説明】
【００１５】
１      上中敷き
１１    上中敷き前足域
１１１  組み手用突起
１２    上中敷き中足域
１３    上中敷き後足域
１４    糊
２      下中敷き
２１    下中敷き前部
２１１  突起受入れ口
２２    下中敷き後部
３      靴本体
【図１】
0003231113.tif 000003
【図２】
0003231113.tif 000004
(57)【要約】      （修正有）【課題】給水口に定流量弁を設け、流量調整を簡便化したオゾン水生成器を提供する。【解決手段】オゾン水生成器２の給水口に定流量弁１を設ける。給水元の水栓６を全開にすれば定流量弁にて一定の流量となった水道水をオゾン水生成器に給水することができる。【選択図】図１
0003231156.tif 000002
【実用新案登録請求の範囲】
【請求項１】
株式会社ウォーターエージェンシーの製品［オゾン水生成器  ＵＮＩＺＯＮＥ（登録商標）］の給水口に定流量弁を設けることにより、給水元の水栓を全開にすることで定流量弁にて一定の流量となった水道水をオゾン水生成器へ給水することを目的とする。オゾン水生成器は水道水を本体給水口へ給水し、本体ケース内の電解カートリッジにより直接水道水を電気分解してオゾン水を生成する装置であり、生成されるオゾン水の濃度は給水される流量により上下するため、濃度を安定させるには流量調整が必要であるが水栓の開閉のみでは困難であるので、水栓を全開にすることでオゾン水生成器に定流量の水道水が給水され、流量調整が完了する特徴を持ったオゾン水生成器の接続構成。
【考案の詳細な説明】
【技術分野】
【０００１】本考案は、オゾン水生成器の給水口に定流量弁を設けたことに関するものである。
【背景技術】
【０００２】オゾン水生成器の使用において、流量調整は給水元の水栓の開閉にて行っていた。
【考案の概要】
【考案が解決しようとする課題】
【０００３】水栓の開閉による流量調整では、使用の目的に応じた特定の流量を得る事が困難であり、使用のたびに流量調整の必要があり時間や労力も要していた。
従って、給水口に定流量弁を設けることにより、水栓を全開にするだけで前述の流量調整の問題点を解決しようとするものである。
【課題を解決するための手段】
【０００４】オゾン水生成器の給水口に定流量弁を設けることにより、給水元の水栓を全開にすれば定流量弁にて一定の流量となった水道水をオゾン水生成器に給水することができる為、上述の流量調整の問題点を解決している。
【考案の効果】
【０００５】オゾン水生成器にて生成されるオゾン水の濃度は、流量により上下する為、上述のように、給水口に定流量弁を設けたことで、給水元の水栓を全開にするだけでオゾン水生成器に給水される水道水の流量が一定となり、オゾン水の濃度を一定にすることが可能となる。この事は、生成されたオゾン水を洗浄や除菌に使用する場合において安定した効果を得る事に繋がる。
【図面の簡単な説明】
【０００６】
【図１】水栓からオゾン水生成器までの接続図である。
【考案を実施するための形態】
【０００７】オゾン水生成器の給水口に定流量弁を取付ける。定流量弁と水栓間はホース及び蛇口ニップル等を用いて接続する。
【実施例】
【０００８】以下、添付図面に従って一事例を説明する。１は定流量弁、２はオゾン水生成器製品本体。３は吐水口であり、本体内部で生成されたオゾン水はここから吐水される。４は蛇口ニップルで、吐水口や定流量弁に取付けてホース等を接続するものである。５はホースで、蛇口ニップルと水栓の接続およびオゾン水の吐水に用いる。６は給水元の水栓である。この状態で給水元の水栓を全開にすれば、水道水は定流量弁を通り、一定の流量となりオゾン水生成器へ給水され、濃度の安定したオゾン水を生成することが可能となる。
【産業上の利用可能性】
【０００９】オゾン水生成器に給水する流量を安定化させることによって、濃度の安定したオゾン水を生成することが可能となる。これにより、洗浄や除菌に使用する場合において安定した効果を得る事に繋がる。
【符号の説明】
【００１０】１  定流量弁
２  オゾン水生成器製品本体
３  吐水口
４  蛇口ニップル
５  ホース
６  水栓（給水元）
【図１】
0003231156.tif 000003
【手続補正書】
【提出日】令和2年12月1日(2020.12.1)
【手続補正１】
【補正対象書類名】実用新案登録請求の範囲
【補正対象項目名】請求項１
【補正方法】変更
【補正の内容】
【請求項１】
オゾン水生成器の給水口に定流量弁を設けたオゾン水生成器。
(57)【要約】      （修正有）【課題】容易に且つ安価に製造可能なトレーニング器具を提供する。【解決手段】金属製のパイプで構成されたトレーニング器具１であって、手で把持する把持部２と、把持部２の両端に重ねるようにして溶接された２つの支持部３、３とを有し、支持部３の長手方向中央に把持部２の端部が位置している。【選択図】図１
0003231193.tif 000002
【実用新案登録請求の範囲】
【請求項１】
金属製のパイプで構成されたトレーニング器具であって、
手で把持する把持部と、前記把持部の両端に重ねるようにして溶接された２つの支持部と、を有し、
前記支持部の長手方向中央に前記把持部の端部が位置していることを特徴とするトレーニング器具。
【考案の詳細な説明】
【技術分野】
【０００１】
本考案は、金属パイプで構成されたトレーニング器具に関する。
【背景技術】
【０００２】
健康や筋力強化のために倒立や腕立て伏せをはじめとするトレーニングを行うことが多々ある。この時、上半身のトレーニングを行う場合は、大抵床や壁などの平面に手をついて行うものが殆どであり、最も一般的な方法である。一方で、ダンベルのような重量物を持ち上げて行うトレーニングも一般的であり、スポーツ用品店等では重さ毎に数種類のダンベルが販売されているため、家庭での筋力トレーニングも手軽に行える。
【０００３】
ダンベルはその形状から、床などの平面に置いた際に手で把持する部分が床に接触することが無いため、当該部分を把持したままダンベルを床に置いて腕立て伏せを行うことも可能である。文献１や文献２には、このような使用が可能なダンベルについて提案されており、倒立の際も補助具として使用できるとの記載も見られる。
【先行技術文献】
【特許文献】
【０００４】
【特許文献１】特開平７−２０４２９２
【特許文献２】特開２００４−３０５６８５
【考案の概要】
【考案が解決しようとする課題】
【０００５】
しかしながら、上記文献中に提案されている発明は、製作にある程度の手間が掛かっていることが伺え、特に文献１においてはグリップ及び錘体が一体成形されているようにも見られることから、その製作にはより手間が掛かりそうなことが見てとれる。
【０００６】
そこで本考案は上記事情に鑑み、簡便に制作でき、健康及び体力の増進に寄与できるトレーニング器具を提供することを目的とする。
【課題を解決するための手段】
【０００７】
金属製のパイプで構成されたトレーニング器具であって、手で把持する把持部と、前記把持部の両端に重ねるようにして溶接された２つの支持部とを有し、前記支持部の長手方向中央に前記把持部の端部が位置していることを特徴とする。
【考案の効果】
【０００８】
本考案によれば、金属パイプを溶接するだけで製作できる上、使用する金属パイプは廃材となる水道管等を利用すれば良いため、手軽に製作出来て且つそのコストも限りなく抑えることが出来る。また、金属パイプを重ねて溶接することにより、把持部が支持部の外径分床から浮くため、把持部を手で持った際に床に手をつけることなくトレーニングが出来る。
【図面の簡単な説明】
【０００９】
【図１】本考案のトレーニング器具の全体図である。
【図２】本考案のトレーニング器具を使用した一例を示した図である。
【図３】本考案のトレーニング器具を使用した一例を示した図である。
【考案を実施するための形態】
【００１０】
以下より、本考案のトレーニング器具１の実施の形態について詳説する。本実施の形態において、トレーニング器具１に用いている金属パイプは内径約２ｃｍのものを使用している。この金属パイプから、長さ２０ｃｍの金属パイプを１本、長さ１２ｃｍの金属パイプを２本切り出す。このうち、長さ２０ｃｍの金属パイプが把持部２となり、長さ１２ｃｍの金属パイプが支持部３となる。
【００１１】
上記ように切り出した１本の把持部２と、２本の支持部３、３は、互いに溶接によって連結される。詳しくは、図１に示すように、平行に配置した２本の支持部３、３に把持部２を橋架する。この時、把持部２の端部はそれぞれ支持部３、３の中央部に接するよう位置を調節し、その後接触箇所を溶接にて接合する。
【００１２】
本トレーニング器具１の使用方法としては、図２及び図３に示すように、把持部２を握り支持部３、３を床面に接地させることで、通常どおり倒立や腕立て伏せを行うことが出来る。また、支持部３、３を壁面に接地して使用することも可能である。
【００１３】
以上のように構成されたトレーニング器具１は、把持部２を握って支持部３、３を床面に接地して使用することで、泥や埃で汚れた床面に直接手を接触させること無く腕立て伏せや倒立などのトレーニングを行うことができ、さらに把持部２の殺菌・消毒を徹底していれば使用者の手を汚すことなく、衛生的な環境でトレーニングすることも可能である。
【００１４】
また、本発明のトレーニング器具１は、把持部２を握って腕立て伏せ等のトレーニングを行う際、使用者の手首を曲げずにトレーニングを行うことが出来るため、曲がった手首に掛かる体重によって手首を痛めることが無い。
【００１５】
また、本発明のトレーニング器具１の材料は、廃材となる金属製パイプを使用することにより製作費用を安く抑えることができ、有名スポーツブランドから発売されている同様のトレーニング器具よりも安価なものを提供することが可能である。
【００１６】
また、本発明のトレーニング器具１は、片手で把持して持ち上げることが出来るものであるため、持ち運びも容易で且つ置き場所を広く取るものでは無い。それゆえに、例えば、車のトランクルームに常備しておくことで、長距離移動時の休憩の際には本トレーニング器具１を野外に持ち出して使用することも可能である。この時、本トレーニング器具１を使用することで、地べたや建物の外壁、木の幹などに直接手が触れること無くトレーニングを行うことが出来るため、非常に衛生的である。
【００１７】
また、材料に金属製パイプを用いているため、トレーニング器具１に程よい重さが生じ、軽めの重りを有したダンベルとしても使用することが出来る。
【００１８】
本考案の上記の実施形態例に限定されるものではなく、実用新案登録請求の範囲内で適宜変更できる。
【符号の説明】
【００１９】
１  トレーニング器具
２  把持部
３  支持部
【図１】
0003231193.tif 000003
【図２】
0003231193.tif 000004
【図３】
0003231193.tif 000005
(57)【要約】      （修正有）【課題】マスクを装着することによって生じる息苦しさや熱、また蒸れや摩擦による肌荒れを解消し、マスク着用時の快適性を上げるマスク補助用具を提供する。【解決手段】鼻と口を覆うようにかぶせることができる、ＰＥ、ＰＰ、又は、シリコンの素材からなるドーム状骨組み構造のマスク補助用具であって、その上から衛生用及び医療用マスクを着用することによってマスクと鼻口の間に空間ができ、息苦しさや熱、摩擦による肌荒れを解消し、マスク着用時における快適性を飛躍的に向上させた。【選択図】図１
0003231124.tif 000002
【実用新案登録請求の範囲】
【請求項１】
PEやPP、シリコンの素材からなるドームの骨組み状になったマスク補助用具。
【請求項２】
鼻と口を覆うようにかぶせた状態でマスクを装着することでマスクが顔に張り付くのを防ぎ、息苦しさや摩擦による肌荒れ、熱がこもるといった事態を解消する請求項１に記載のマスク補助用具。
【考案の詳細な説明】
【技術分野】
【０００１】
本考案は衛生用マスク及び医療用マスクに着脱して使用するマスク補助用具に係るものである。
【背景技術】
【０００２】
マスク着用における息苦しさや張り付きは従来から問題視されていた。
加えて新型コロナウイルスの世界的流行によって外出時や買い物中等、常にマスクを着用していなければならない時間が大幅に増え、蒸れや肌とマスク面との摩擦による肌荒れ、夏には熱がこもることによって熱中症のリスクを上げる原因とされた。
【０００３】
このような問題に対して、材料を少し変えてマスクの肌触りを良くする、着用時に立体的になるような形状にして鼻や口に張り付きにくいようにしているものもあるが、いずれも根本的解決には到っていない。
【考案の概要】
【考案が解決しようとする課題】
【０００４】
本考案は衛生用マスク及び医療用マスクを着用する際の息苦しさや張り付き、蒸れや摩擦による肌荒れ、熱がこもる事態を解消し可能な限り長時間の着用と着用者自身の健康安全に寄与するマスク補助用具の提供を目的とする。
【課題を解決するための手段】
【０００５】
本考案は衛生用マスク及び医療用マスクの内側に装着して使用するマスク補助用具であって、PE、PPまたはシリコンといった素材から成りドーム状の形をしている。
【０００６】
本考案を口と鼻両方を覆うようにかぶせ、その状態でマスクをすれば本考案は固定される。もちろん本考案自体が呼吸を阻害しないように、空気が通るための穴はきちんとある。本考案とマスクはテントのような構造になっており、本考案がテントを立体的にするための骨組み、マスクがそれを覆う布のような存在になっている。
【０００７】
本考案は鼻と口を覆う状態であれば良いので、様々な形状を取ることができる。椀を伏せたようなドーム状の本考案に４つ空気を通すための隙間を開けたもの、涙滴型のものに同じく涙敵型の隙間を放射状に配置したものもある。
また、不織布のようなプリーツのあるマスクに差し込んで固定できるようなツメを備えたものもある。
【考案の効果】
【０００８】
本考案によって顔とマスクとの間に空間ができる為、息苦しさが軽減される。また、物理的に張り付いてくるマスク生地を本考案によって抑えることができる。
【０００９】
空間ができたことで空気が通るようになり、蒸れも解消されこもった熱も排出されていく。マスクと肌が直接触れることも無い為、肌に生ずる摩擦もなくすこともできる。
【００１０】
口に直接ふれることも無い為、発声時の口の動きでずれることもない。長時間、正しくない位置で着用したままでいることもないし、位置を直すために雑菌の付着した表面を触る必要も無い。
【００１１】
素材がPEやPP、シリコンの為、水洗いが可能である。その為、衛生的に繰り返し使うこともできる。
【００１２】
以上から、本考案は長時間マスクを着用しなくてはならない昨今において不快感や健康に影響する事柄を排除するマスク補助用具の提供を可能にした。
【図面の簡単な説明】
【００１３】
【図１】商品を正面から見た図である。
【図２】商品を側面から見た図である。
【図３】商品の使用状態を示す図である。
【考案を実施するための形態】
【００１４】
ドームの骨組み状の本考案を口を鼻を覆うようかぶせる。その上からマスクを着用して顔とマスクの間に本考案を挟むようにして使用する。
【図１】
0003231124.tif 000003
【図２】
0003231124.tif 000004
【図３】
0003231124.tif 000005
【手続補正書】
【提出日】令和2年12月23日(2020.12.23)
【手続補正１】
【補正対象書類名】実用新案登録請求の範囲
【補正対象項目名】全文
【補正方法】変更
【補正の内容】
【実用新案登録請求の範囲】
【請求項１】
PEやPP、シリコンの素材からなるドームの骨組み状になったマスク補助用具。
【請求項２】
鼻と口を同時に覆うことのできる逆三角形のドームの骨組み状のものであり、鼻と口を覆うように被せ、その上からマスクを装着することでマスクが顔に貼りつくことを防ぎ、また摩擦の少ないPPやシリコン素材から成っており、マスク装着時特有の息苦しさや摩擦からの肌荒れを解消する請求項１に記載のマスク補助用具。
(57)【要約】【課題】  傘の自重を支え易くし、傘を持つ指を疲れにくくする、またデザイン性を損なわない傘の柄を提供する。【解決手段】  傘の柄１００は傘の中棒（中心軸）５０が取り付く垂直部１０に略ムの字形の握り部を連続させた形状の柄（ハンドル）であって、前記ムの字形の斜め部２０は前記垂直部１０に対して３０度〜４５度の傾き角度に構成してなる。【選択図】図１
0003231130.tif 000002
【実用新案登録請求の範囲】
【請求項１】
傘の中棒が取り付く垂直部に略ムの字形の握り部を連続させた形状の柄であって、前記ムの字形の斜め部は前記垂直部に対して３０度〜４５度の傾き角度をなすことを特徴とする傘の柄。
【考案の詳細な説明】
【技術分野】
【０００１】  本考案は傘の自重を支え易くし、傘を持つ指が疲れにくい傘の柄に関する。
【背景技術】
【０００２】  すべり止め並びに落下防止の効果があり、握っている掌の握力を弱めても傘を保持することが出来るものとして、すべり止めの効果がある細長い逆円錐台形状の握り部（３ｂ）に形成し、握り部（３ｂ）の上部延長線上に、滑らかに繋がるラッパ形状に形成したストッパー部（４ａ）を設けた構成が特開２０１６−１０１４６２号公報に提案されている。
【先行技術文献】
【特許文献】
【０００３】
【特許文献１】特開２０１６−１０１４６２号公報
【考案の概要】
【考案が解決しようとする課題】
【０００４】  しかしながら、特許文献１に記載の傘の柄は木製の場合、太い外径の大きな木材から削りだす必要があり、加工時間が長くなりコストが高くなる。樹脂部材で成型加工しても柄の外観がスマートでなくデザイン性が劣る恐れがある。また、柄が重くなり傘を持つ手が疲れる。本考案は、構成がシンプルで使いやすく、傘の自重を支え易い、コストを低く抑えられる、デザイン性もほぼ損なわない傘の柄を提供することを目的とする。
【課題を解決するための手段】
【０００５】  本考案にかかる傘の柄は、傘の中棒（中心軸）が取り付く垂直部に略ムの字形の握り部を連続させた形状の柄（ハンドル）であって、前記ムの字形の斜め部は前記垂直部に対して３０度〜４５度の傾き角度をなす。該斜め部と前記垂直部とを併せ持つことにより傘が滑り落ちることがない。また、傘の自重を支え易くなる。さらに、傘をしっかり持てて傘が倒れにくい。そして、従来の略Ｊ型の柄と大きさをほぼ同じにできる。【０００６】  さらに本考案の傘の柄は、前記ムの字形の水平部の終端を前記垂直部方向に折り曲げたことを特徴としたもので、折り曲げ部により傘を収納する際、折り曲げ部が丸いバーから外れない。また、テーブル等の平板部に引っ掛けやすい。さらに、柄に荷物をぶら下げても荷物袋が外れない。【０００７】  さらに本考案にかかる傘の柄は、柄の材質を木製または樹脂成型品とし、従来の柄と同じ製法、製造装置を用いることができる。
【考案の効果】
【０００８】  本考案の傘の柄は、傘の自重を支え易くなる。また、風等で傘が倒れにくい。従来の柄と同じ製法、製造装置を用いることができる。
【図面の簡単な説明】
【０００９】
【図１】  本考案の一実施例における傘の柄の正面図
【考案を実施するための形態】
【００１０】  以下、図１を用いて本考案の一実施例における傘の柄１００を説明する。傘の柄１００は傘の中棒（中心軸）５０が取り付く垂直部１０に略ムの字形の握り部を連続させた形状の柄（ハンドル）である。前記ムの字形の斜め部２０は前記垂直部１０に対して３０度〜４５度の傾き角度に構成した。
【００１１】  さらに本考案の傘の柄１００は、前記ムの字形の水平部３０の終端を前記垂直部１０方向に折り曲げた折り曲げ部４０を備えた構成とした。
さらに本考案にかかる傘の柄１００は、断面が円形をなし、材質を木製とした。柄の直径寸法を例えば２０ｍｍ〜２５ｍｍ程度とした。なお、柄の材質は射出成形可能な樹脂製としてよいことは言うまでもない。さらに、断面形状は円形の他に矩形等任意の形状としてよいことも同様である。
【００１２】  上記構成により本考案の傘の柄は、握った手の中から滑り落ちることがなく傘の自重を支え易くなる。また、柄をしっかり把持できるので傘が倒れにくい。デザイン性を損なうこともない。
【符号の説明】
【００１３】１０  垂直部
２０  斜め部
３０  水平部
４０  折り曲げ部
５０  中棒
１００  傘の柄
【図１】
0003231130.tif 000003